(57)【要約】  【課題】  放送番組受信機能付き携帯電話機において、それまで視聴していた放送番組の視聴できなることへの解決手法を提供する。  【解決手段】  携帯電話機（１００）は、放送番組を受信して表示する表示手段（１２５、１３０、１３５、１４０）と、前記放送番組の表示中に、所定事象の発生を検知する検知手段（１７０）と、前記検知手段による検知がなされると、録画指示に基づいて放送番組を録画する外部装置（２００）に対して、表示中の放送番組を指定した録画指示を送信する指示手段（１８０）とを備える。【選択図】  図２
2010252391.tif 000002
【特許請求の範囲】
【請求項１】
放送番組を受信して表示する表示手段と、
前記放送番組の表示中に、電池残量が所定値以下になったことを検知する検知手段と、
前記検知がなされると、録画指示に基づいて放送番組を録画する外部装置に対して、前記表示中の放送番組を指定した録画指示を送信する指示手段と、
を備えることを特徴とする携帯電話機。
【請求項２】
前記指示手段による前記録画指示の送信の後、前記録画指示を受け付けた旨の応答を前記外部装置から受信する応答受信手段をさらに備えることを特徴とする請求項１記載の携帯電話機。
【請求項３】
前記指示手段は、
前記録画指示の送信の後、一定期間内に、前記応答受信手段が前記応答を受信しない場合に、再度、前記録画指示を送信することを特徴とする請求項２記載の携帯電話機。
【請求項４】
前記指示手段は、
赤外線信号または近距離無線通信規格に準じる無線信号を用いて前記録画指示を送信するための第１の送信部と、前記携帯電話機の通信網を介して前記録画指示を送信するための第２の送信部と、を含んでおり、
前記第１の送信部を用いて前記録画指示を送信した後、前記一定期間内に、前記応答手段が前記応答を受信しない場合に、前記第２の送信部を用いて、再度、前記録画指示を送信することを特徴とする請求項３記載の携帯電話機。
【請求項５】
前記検知手段が音声通話にかかる着信に対する応答操作を検知した場合、
前記指示手段は、電池残量が所定値以下であるかどうかに関わらず、前記録画指示を前記外部装置に対して送信する請求項１乃至４のいずれか記載の携帯電話機。
【請求項６】
請求項１乃至５のいずれかに記載の携帯電話機と、
前記外部装置と、
を含むことを特徴とする携帯電話システム。
【発明の詳細な説明】
【技術分野】
【０００１】
本発明は、放送番組を受信する機能を有する携帯電話機に関する。
【背景技術】
【０００２】
近年、テレビ機能付き携帯電話機が相次いで開発されている。係る携帯電話機には、地上波アナログ放送又はデジタル放送に対応したテレビチューナが内蔵されており、受信した放送番組をディスプレイに表示することができる。（例えば、特許文献１）。この機能により、ユーザは、自宅だけでなく外出先でもテレビを見ることができる。
【先行技術文献】
【特許文献】
【０００３】
【特許文献１】特開２００３−１５３１１１号公報
【発明の概要】
【発明が解決しようとする課題】
【０００４】
ところで、ユーザが、このテレビ機能付き携帯電話機で放送番組を視聴する場合、視聴中に着信があったり、放送の受信状況が悪くなる等の原因により、放送番組の途中で視聴を続けることができなくなることがある。
【０００５】
そこで本発明は、途中で視聴を続けることができなくなった放送番組を、後ほど視聴することができるようにした携帯電話機及び携帯電話システムを提供することを目的とする。
【課題を解決するための手段】
【０００６】
上記目的を達成するために、本発明に係る携帯電話機は、放送番組を受信して表示する表示手段と、前記放送番組の表示中に、電池残量が所定値以下になったことを検知する検知手段と、前記検知がなされると、録画指示に基づいて放送番組を録画する外部装置に対して、前記表示中の放送番組を指定した録画指示を送信する指示手段とを備えることを特徴としている。
【発明の効果】
【０００７】
上記構成の携帯電話機を用いた場合、電池残量が少ないため、放送番組をディスプレイに表示できなくなった場合でも、その表示ができなかった部分については外部装置に録画されるので、ユーザは、後ほど、外部装置にその部分を再生させて視聴することができる。
【０００８】
また、上記構成の携帯電話システムにおいて、携帯電話機は、赤外線信号により録画指示し、その録画指示が成功しなかった場合には、通信網を通じた信号伝送により録画指示を送信することができる。
【０００９】
前記携帯電話機は、さらに、音声通話にかかる着信を受けた時から所定期間が経過するまでの間、ユーザへの着信報知のための報知機構が作動するのを抑止する抑止手段を備えてもよい。
【００１０】
この構成により、着信から所定期間内に着信呼出しが切断されるような電話、例えば、ワンギリ等、着信後すぐに切れるような電話については、ユーザに報知されないようにすることができ、その結果、ユーザが無駄に応答することがなくなるので、それによる無駄
な録画指示の送信をなくすことができる。
【００１１】
前記外部装置は、録画指示を含む赤外線信号を受信及び解析する手段を備えるものであり、前記指示手段は、赤外線信号による前記録画指示を生成して前記外部装置に送信する赤外線送信手段を備えてもよい。
【００１２】
この構成により、赤外線信号を利用して録画指示することができる。
【００１３】
前記外部装置は、近距離無線通信規格に準じる無線信号を受信及び解析するための機構を備えるものであり、前記指示手段は、前記近距離無線通信規格に準じる無線信号による前記録画指示を生成して送信する無線信号送信手段を備えてもよい。
【００１４】
この構成により近距離無線通信規格、例えばBluetooth等を利用して録画指示すること
ができる。
【００１５】
前記外部装置は、前記携帯電話機の通信網に接続されており、前記指示手段は、前記通信網を通じて前記録画指示を前記外部装置に伝送するよう構成してもよい。
【００１６】
この構成により、例えば、ＥメールやＳＭＳ（ショートメッセージサービス）を利用して録画指示することができる。
【００１７】
前記指示手段が送信する前記録画指示は、さらに、録画終了時刻の指定を含んでもよい。
【００１８】
前記録画終了時刻は、録画開始から録画終了までの期間により示されていてもよい。
【００１９】
前記携帯電話機は、さらに、前記録画指示の送信の後、前記外部装置に対して録画終了指示を送信する終了手段を備え前記終了手段は、前記指示手段により録画指示が送信された時から所定期間経過後に前記録画終了指示を送信する構成としてもよい。
【００２０】
前記終了手段は、前記指示手段が録画指示した放送番組の放送終了時刻を取得し、当該放送終了時刻に前記録画終了指示を送信する構成としてもよい。
【００２１】
前記携帯電話機は、さらに、前記検知手段により応答操作が検知された後において、前記放送番組の視聴が再開可能となる事象の発生を検知する再開検知手段を備え、前記終了手段は、前記再開検知手段により、前記事象が検知された場合に、前記外部装置に対して録画終了指示を送信するよう構成してもよい。
【００２２】
この構成により、携帯電話機が視聴可能な状態になると、録画装置による録画が終了し、視聴される番組が無駄に録画されないようにすることができる。ここで視聴可能な状態とは、すなわち、通話が終了し、それまで中断していた番組視聴を再開できる状態になったことを意味する。携帯電話機は、通話の終了を、ユーザ操作や通信中の信号から判断すればよい。
【００２３】
また、前記携帯電話機は、録画終了を指示するとともに、中断していた放送番組の再生を再開するよう構成してもよい。
【００２４】
また、本発明に係る携帯電話機は、放送番組を受信して表示する表示手段と、前記放送番組の表示中に、その放送番組の受信状況が、所定の基準と比べて悪くなったことを検知する検知手段と、前記検知がなされると、録画指示に基づいて放送番組を録画する外部装
置に対して、前記表示中の放送番組を指定した録画指示を送信する指示手段とを備える構成であってもよい。
【００２５】
この構成により、受信状況が悪いためにディスプレイの映りが悪くなった場合でも、その映りが悪くなった部分については外部装置に録画されているので、ユーザは、後ほど、外部装置にその部分を再生させて視聴することができる。
【００２６】
また、前記検知手段は、受信中の放送番組に含まれる信号のエラー率を算出し、そのエラー率と所定のしきい値とを比較した結果、そのエラー率が所定のしきい値より高い場合に、受信状況が所定の基準と比べて悪くなったと検知するよう構成してもよい。
【００２７】
この構成により受信状況の悪さをエラー率と所定のしきい値とか判断することができる。
【００２８】
また、前記携帯電話システムは、前記赤外線信号の代わりに近距離無線通信規格に準じる無線信号を用いるとしてもよい。
【図面の簡単な説明】
【００２９】
【図１】携帯電話機１００及び録画装置２００を含む携帯電話システムの概略を説明するための構成概略図を示す。
【図２】携帯電話機１００の構成を示すブロック図である。
【図３】録画装置２００の構成を示すブロック図である。
【図４】携帯電話機１００の動作を示すフローチャートである。
【図５】視聴不可検知処理を示すフローチャートである。
【図６】録画指示処理を示すフローチャートである。
【図７】視聴回復検知処理を示すフローチャートである。
【発明を実施するための形態】
【００３０】
以下、本発明の実施形態について図面を用いて説明する。
＜概略＞
図１は、携帯電話機１００及び録画装置２００を含む携帯電話システムの概略を説明するための構成概略図を示す。
【００３１】
同図において携帯電話システムは、携帯電話機１００及び録画装置２００の他、地上波デジタル放送の電波搭１０、基地局２０、インターネット等の通信網３０、メールサーバ４０、放送受信用アンテナ５０、テレビ受像機等のモニタ６０を含んで構成される。
【００３２】
電波搭１０は、モニタ６０や録画装置２００等のための高画質な放送番組を放送し（同図の１５）、またこれと並行して、同放送番組を携帯電話機１００のような移動通信向けに変換した放送番組を放送する（同図の１１）ものである。
【００３３】
携帯電話機１００は、電波搭１０から放送される移動通信向けの放送番組を、放送受信アンテナ及びチューナにより受信して、再生表示する機能を持つ。
【００３４】
また一般的な通信機能として、携帯電話機１００は、基地局２０との無線通信（同図の１２）により基地局２０に接続し、基地局２０を通じて通信網３０に接続し、他の電話機との通話やデータ通信のための信号の授受を行う。通信網には、携帯電話機１００の電話回線網や、公衆回線網、インターネット網を含んでいる。
【００３５】
携帯電話機１００は、放送番組の受信と、基地局２０との通信とを並行して行うことが
できる。よって放送番組の受信中であっても、通信網３０からの着信を受けることができる。
【００３６】
具体的には、携帯電話機１００は、基地局２０からの着信信号の到来を監視しており、着信信号が到来すると放送番組の再生を中断し、着信音や表示部への表示によって、着信の旨をユーザに報知する。この報知に対し、オフフックキーの押下等、ユーザにより応答の操作がなされると、通話処理が開始されることとなる。
【００３７】
ここで放送番組受信中の着信に対して応答の操作がされた場合、通常、ユーザは通話を開始するので、通話のために視聴を中断しなければならず、放送番組の視聴を続けることが困難となる。あるいは、携帯電話機の仕様によっては、着信した時から、番組の表示を中断するものもあり、その場合には、視聴ができなくなる。
【００３８】
また携帯電話機１００は、移動されるものであるので受信している電波の状況が不安定になりやすく、状況が悪いときには放送番組の映りが悪くなり、この場合にも放送番組の視聴を続けることが困難となる。
【００３９】
よって携帯電話機１００は、上記のように、ユーザが視聴困難となることが予測される所定の状況を検知する機能を備え、検知した場合には録画装置２００へ同放送番組の録画指示を送信する。所定の状況とは、すなわち、放送番組受信中の着信に対して応答の操作がなされた場合、及び電波の状況が悪いことを検出した場合である。
【００４０】
携帯電話機１００は、録画指示を送信する手段を２通り持つ。その１つは赤外線信号により送信する手段である。同図においては１３の破線が、赤外線信号による録画指示送信の様子を示している。ただし同図の例では、赤外線信号による送信手段は、録画装置２００までの距離が赤外線の有効飛距離を超えるために、失敗している例を示す。
【００４１】
他の１つの手段は、通信（同図の１２）により通信網３０に接続し、録画装置２００宛ての録画指示を含むＥメールを送信する手段である。
【００４２】
この録画指示を含むＥメールは、通信網３０に接続されたメールサーバ４０に伝送される。
【００４３】
録画装置２００は、携帯電話機１００の２通りの録画指示の送信手段に対応して、２通りの録画指示の受信手段を備える。１つの手段は、録画指示を含む赤外線信号を受光し、解析する回路からなる。他の１つの手段は、録画指示をＥメールにより受け取る手段である。このために、録画装置２００は、インターネットにより通信網３０に接続され、例えば５分毎に録画装置２００宛てのメールがないか、メールサーバ４０に問い合わせる。
【００４４】
そして赤外線信号又はＥメールによって録画指示を受け取ると、録画装置２００は、録画指示で指定される放送番組の信号を、アンテナ５０から入力される放送波から抽出し、内部のハードディスク、あるいはＤＶＤに録画する。
【００４５】
録画装置２００やモニタ６０は、例えば携帯電話機１００のユーザが自宅に所有しているものであり、ユーザが、自宅で録画装置２００に録画されたものを再生すると、携帯電話機１００で視聴できなかった番組が再生されて、モニタ６０に表示され、番組の内容を確認することができる。
＜構成＞
次に、携帯電話機１００及び録画装置２００の構成を説明する。
【００４６】
図２は、携帯電話機１００の構成を示すブロック図である。
【００４７】
同図において、携帯電話機１００は、通信アンテナ１０５、無線部１１０、通信制御部１１５、音声処理部１２０、放送受信アンテナ１２５、受信処理部１３０、表示制御部１３５、表示部１４０、制御部１５０、操作部１５５及び赤外線通信部１６０、電池電圧測定部１９０を備える。
【００４８】
また、制御部１５０は、視聴状態検知部１７０及び録画指示部１８０を含む。
【００４９】
通信アンテナ１０５、無線部１１０、通信制御部１１５及び音声処理部１２０は、基地局２０及び通信網３０を通じた通話やデータ通信を行うための機能部である。
【００５０】
通信アンテナ１０５は、無線通信（図１の１２）のために高周波信号を入出力し、無線部１１０は、高周波信号とベースバンド信号との変換を行い、通信制御部１１５は、従来からある通常の処理として、音声信号等を含む通信チャネルフレームの分解及び組み立てと、着信信号等の各種制御信号を含む制御チャネルフレームの分解及び組み立て等を行う。また各種制御信号の内容を解釈し、解釈に応じた通信制御を行う。
【００５１】
特に、通信制御部１１５は、通信アンテナ１０５から入力される着信信号を検出すると、着信音や表示部への表示による報知等の処理と共に、着信信号検出の旨を視聴状態検知部１７０に通知する。また、通信制御部１１５は、録画指示部１８０より録画指示を送信する旨の指示があると、録画装置２００宛ての録画指示を含むＥメールを、データ通信にして、無線部１１０及び通信アンテナ１０５を通じて通信網３０へ送出する。
【００５２】
音声処理部１２０は、スピーカ、マイク及び音声処理部を備え、外部に入出力する音声に関する処理を行う。
【００５３】
放送受信アンテナ１２５、受信処理部１３０、表示制御部１３５及び表示部１４０は、放送番組を受信して表示するためのものである。
【００５４】
放送受信アンテナ１２５は、電波搭１０より放送される移動端末向けの放送波を受信し、受信処理部１３０に入力する。移動端末向けの放送波には、一般的なテレビ受像機用の放送番組に対応する移動端末向けの放送番組と、電子番組表等の放送番組のチャネルや放送時間帯を識別するための情報とが含まれている。
【００５５】
また、視聴状態の検知のために、放送受信アンテナ１２５は、内部に有する測定機によって、放送番組の受信電波強度を測定し、視聴状態検知部１７０に所定の頻度で通知している。
【００５６】
受信処理部１３０は、放送受信アンテナ１２５により受信される信号の中から放送番組の本体部分に相当する信号を抽出して表示制御部１３５に出力する。また受信処理部１３０は、抽出した信号のエラー率を算出し、視聴状態検知部１７０へ通知している。エラー率の算出は、ＣＲＣ（Cyclic Redundancy Check）方式に基づいて行う。具体的には例え
ば、信号に付加されたチェックコードと受信処理部１３０がチェック用に算出したチェックコードとを比較し、一致しない場合をエラーとして、所定期間内の比較回数に対するエラー回数の割合をエラー率とする。CRC方式を用いる代わりにパリティチェック方式やそ
の他の伝送誤りチェックの方式を用いてもよい。
【００５７】
さらに受信処理部１３０は、放送番組の受信の他に、電子番組表等の放送番組のチャネルや放送時間帯を識別するための情報を受信しており、録画指示部１８０が録画指示を出
す際には、受信中の放送番組に対応する番組識別子を録画指示部１８０に通知する。
【００５８】
制御部１５０は、携帯電話機１００全体を制御し、また操作部１５５の入力から、受信する放送番組の指示やオフフック操作を検出して各要素に伝える。
【００５９】
視聴状態検知部１７０は、受信中の放送番組について、視聴することが困難になることが予測される所定状態の発生を検知し、また、その状態から回復したこと、つまり視聴可能になったことを検知する。そしてどちらの検知も録画指示部１８０に伝える。より詳しくは、後述の動作説明で行う。
【００６０】
録画指示部１８０は、視聴状態検知部１７０が所定状態の発生を検知すると、録画指示を出す処理を行う。また視聴状態検知部１７０が所定状態から回復したことを検知すると録画終了指示を出す処理を行う。どちらの指示も、最初は、赤外線通信部１６０により赤外線信号を用いて行い、それが失敗した場合には、通信制御部１１５に指示してＥメールを用いて行う。録画指示及び終了指示には、電子番組表等から得られる番組識別子が含まれ、この識別子により録画装置２００は、録画すべき、又は録画を終了すべき放送番組を特定することができる。
【００６１】
電池電圧測定部１９０は、携帯電話機１００に備わる電池の電圧を測定する機能部である。測定結果は、視聴状態検知部１７０に通知される。
【００６２】
次に録画装置２００の構成を説明する。
【００６３】
図３は、録画装置２００の構成を示すブロック図である。
【００６４】
同図において録画装置２００は、放送受信部２１０、録画処理部２２０、ハードディスク部２３０、赤外線通信部２４０、インターネット通信部２５０及び指示受付部２６０を含んで構成される。
【００６５】
放送受信部２１０は、アンテナ５０より入力される放送波信号から、録画指示で指定される放送番組の信号を抽出して録画処理部２２０に出力する。
【００６６】
録画処理部２２０は、放送受信部２１０より入力される放送番組の信号を画像処理してハードディスク部２３０に出力する。
【００６７】
ハードディスク部２３０は、放送番組をハードディスクに記録する。
【００６８】
赤外線通信部２４０は、赤外線受光部、受光部より入力される赤外線信号を解析して解析結果の録画指示を指示受付部２６０に出力する解析部、録画指示を受取った旨を示す応答信号を携帯電話機１００の赤外線通信部１６０に送る赤外線信号送信部等を含んで構成される。
【００６９】
インターネット通信部２５０は、メールサーバ４０に、例えば５分おきに録画装置２００宛ての録画指示を含むＥメールがないかチェックし、あれば受信して、その録画指示を指示受付部２６０に通知する。
【００７０】
指示受付部２６０は、赤外線通信部２４０又はインターネット通信部２５０から通知された録画指示に基づいて、録画指示で指定される放送番組を録画処理部２２０に伝え、録画を指示する。
＜動作＞
次に、携帯電話機１００の動作を説明する。
【００７１】
図４は、携帯電話機１００の動作を示すフローチャートである。
【００７２】
同図において、携帯電話機１００は、操作部１５５の操作によりテレビのスイッチがオンとなると、制御部１５０は、放送受信アンテナ１２５及び受信処理部１３０に指示して、操作部１５５の操作で指示された放送チャネルの放送番組が受信されるようにする（ステップＳ４１、Ｓ４２）。
【００７３】
放送番組が受信されて表示部１４０に表示されるようになると、視聴状態検知部１７０は、視聴困難になると予測される所定状態の発生を検知するために視聴不可検知処理を行う（ステップＳ４３）。この処理内容については図５で説明する。
【００７４】
上記処理の結果、所定状態の発生が検知されると、録画指示部１８０は、録画装置２００に対して、表示中の放送番組を指定した録画指示を出すための録画指示処理を行う（ステップＳ４４）。この処理内容については図６で説明する。
【００７５】
録画指示が済むと、視聴状態検知部１７０は、視聴困難な状態が回復したことを検知するための視聴回復検知処理を行う（ステップＳ４５）。この処理内容については図７で説明する。
【００７６】
視聴可能な状態に、状態が回復したことを検出すると、録画指示部１８０は、ステップＳ４４とほぼ同じような手順で、録画装置２００に対して、録画中の放送番組の録画について録画終了を指示する（ステップＳ４６）。
【００７７】
図５は、視聴不可検知処理を示すフローチャートである。
【００７８】
同図において、視聴状態検知部１７０は、通信制御部１１５から着信が検出された旨の通知があり（ステップＳ５１：ＹＥＳ）、さらに操作部１５５の操作によりオフフックの操作があれば（ステップＳ５２：ＹＥＳ）、視聴困難と予測される状態であるとして、視聴不可を検知する（ステップＳ５４）。
【００７９】
同様に、放送受信アンテナ１２５から通知される電波強度及び受信処理部１３０より通知される受信エラー率によって、受信状況が悪い場合にも（ステップＳ５３：ＹＥＳ）、視聴状態検知部１７０は、視聴困難と予測される状態であるとして、視聴不可を検知する（ステップＳ５４）。
【００８０】
また、視聴状態検知部１７０は、電池電圧測定部１９０から通知される測定値に基づいて、電池残量が所定値以下であると判定した場合（ステップＳ５５：ＹＥＳ）、視聴困難と予測される状態であるとして、視聴不可を検知する（ステップＳ５４）。
【００８１】
図６は、録画指示処理を示すフローチャートである。
【００８２】
同図において、録画指示部１８０は、放送番組のチャネル情報、番組識別子等を受信処理部１３０から取得し（ステップＳ６１）、それらの情報を含めた録画指示信号を赤外線通信部１６０に出力し、赤外線通信部１６０は、その録画指示信号を赤外線信号に変換して出力する（ステップＳ６２）。
【００８３】
赤外線信号の出力の後、録画指示部１８０は、所定の期間内（例えば１０秒以内）に、録画装置２００から録画指示を受け付けた旨の応答信号が、赤外線通信部１６０を通じて
返されるのを待つ。その結果、応答が返えされれば（ステップＳ６３：ＹＥＳ）、処理を終了し、応答が返されなければ、赤外線信号による録画指示は失敗に終わったものとみなし、Ｅメール送信による録画指示を出すよう通信制御部１１５に、チャネル情報等を含めた録画指示を通知する（ステップＳ６４）。ここで応答信号を所定の期間待つのは、赤外線信号による録画指示が録画装置２００に受け付けられたかどうかを確認するためである。録画装置２００と携帯電話機１００との距離が、赤外線信号の到達距離より遠い場合や、赤外線信号の伝送に異常がある場合等、録画装置２００に録画指示を伝達させられない場合があるので、応答信号が返されるか否かによって録画指示が受け付けられたかどうかを確認しているのである。
【００８４】
図７は、視聴回復検知処理を示すフローチャートである。
【００８５】
図７に示すように、視聴状態検知部１７０は、図５でオフフックにより視聴不可検知がされていた場合には、オンフックを検出することにより、あるいは、図５で受信不良により視聴不可検知がされていた場合には、受信状況回復を検出することにより、視聴困難な状態が回復されたものとみなす（ステップＳ７１）。
【００８６】
そしてそのとき、中断されていた放送番組が、まだ放送中であるか、それとももう放送終了しているかを判断し、終了したものであれば、そのまま図７の処理を終了する。一方、中断されていた放送番組が、まだ放送中であれば（ステップＳ７２：ＹＥＳ）、録画指示部１８０は録画処理部２２０に対して録画終了指示を出し（ステップＳ７３）、そして放送受信アンテナ１２５、受信処理部１３０、表示制御部１３５、表示部１４０は、番組放送の受信を再開する。
＜補足＞
以上、実施の形態について説明したが、本発明は、上記実施の形態に限らず、例えば以下のように実施してもよい。
（１）通信制御部１１５は、着信信号を検出した時、着信音や表示部への着信表示によってユーザに着信を報知し、着信信号検出の旨を視聴状態検知部１７０に通知するよう構成されている。これを次のようにしてもよい。すなわち、通信制御部１１５は、着信信号を検出した時点から所定期間が経過するまでの間、着信音や着信表示等の報知機構が作動するのを抑止し、所定期間経過後に報知機構を作動させ、この作動の時に着信信号検出の旨を視聴状態検知部１７０に通知する。ここで所定期間は、例えば３秒とする。この構成により、着信検出から３秒経過するまでは、ユーザに着信が報知されないので、その３秒間は、応答の操作がされないこととなる。これにより、所謂ワン切り等、短期間で着信コールが切れ、応答する必要のない着信に無駄に応答することがなくなり、応答がなくなれば、応答によって無駄に録画指示が送信される事態をなくすことができる。
（２）ステップＳ５２では、オフフックの操作を応答の操作として検出しているが、このオフフックの操作は、すなわち、操作部１５５上に割り当てられたオフフックキーを押下する操作をいう。オフフックキーは、発信キー、通話ボタン等とも呼称される。その他、例えば、スライド式の携帯電話機の重なりあった上部筐体と下部筐体とを、スライドさせて伸長させる操作を応答の操作として検出してもよい。すなわち、携帯電話機１００と相手先の携帯電話機との通話開始の契機となるユーザ操作であれば何でもよい。
【００８７】
また、本実施形態においては、着信に対してオフフックの操作が検出されると録画指示を送信するよう構成されているが、オフフックの有無にかかわらず、着信があれば録画指示を送信するよう構成してもよい。あるいは、ワン切りや、短期間で着信コールが切れる場合に無駄に録画指示が送信されることを防止するために、着信を検出してから所定期間経過後に録画指示を送信するよう構成してもよい。
（３）録画指示部１８０は、録画指示と録画終了指示の両方を録画装置２００に送信するよう構成されているが、録画指示のみを送信するよう構成してもよい。これに対応する録
画装置２００は、番組の放送が終了したときに録画を終了するよう構成してもよい。
（４）あるいは、録画指示に録画終了時刻を指定する情報を含めるよう構成してもよい。この録画指示を受けた録画装置２００は、録画を開始し、当該録画指示に含まれる録画終了時刻が到来すると録画を停止する。
（５）また、録画指示に録画終了時刻を指定する情報を含める代わりに、録画開始から録画終了までの録画期間を指定する情報を含めるよう構成してもよい。この録画指示を受けた録画装置２００は、録画を開始し、開始時からの期間が、録画期間に達したときに録画を停止する。
（６）録画指示部１８０が、録画指示と録画終了指示との両方を送信する場合において、録画指示部は、録画指示を送信した時から時間を計時し、所定期間経過後に録画終了指示を送信するよう構成してもよい。
（７）また録画指示部１８０が、録画指示にかかる放送番組の放送終了時刻を電子番組表等から取得して、当該放送終了時刻が到来した時に録画終了指示を送信するよう構成してもよい。
（８）携帯電話機１００は、音声通話にかかる着信に対する応答操作を検知して録画指示を出すよう構成されているが、音声通話にかかる着信のみでなく、メール自動受信にかかる着信、チャットメールの受信にかかる着信に対する応答操作を検知して録画指示を出すよう構成されてもよい。
【００８８】
メール自動受信とは、網上のメールサーバに届いた、携帯電話機１００宛てのメールを、携帯電話機１００が自動的に受信する機能である。自動的に受信したとき、携帯電話機１００は、着信音や表示部１４０への表示によって、メール自動受信の旨をユーザに報知する。この報知に対し、オフフックキーの押下等、ユーザにより応答の操作がなされると、自動受信したメールの情報が表示部１４０表示され、ユーザは、メールを読んだり、返信メールを作成したりすることができるようになる。この応答の操作のときに録画指示を出すようにすれば、音声通信への応答の操作の場合と同じように、視聴が中断された番組が録画装置２００にて録画される。
【００８９】
また、チャットメールとは、携帯電話機１００と相手の携帯電話機とが接続された状態でメールをやりとりする機能である。この機能においては、携帯電話機は、メール自動受信と同様に、チャットメールを相手の携帯電話機から受信したとき、着信音や表示部１４０への表示によって、チャットメール受信の旨をユーザに報知する。この報知に対してユーザが応答の操作を行うと、相手の携帯電話機と携帯電話機１００とが接続され、以降、チャットメールをやりとりすることができる。この応答の操作のときに録画指示を出すようにすれば、音声通信への応答の操作の場合と同じように、視聴が中断された番組が録画装置２００にて録画される。
【産業上の利用可能性】
【００９０】
放送番組を受信する機能を有する携帯電話機、ＰＤＰ、情報端末等に用いられる。
【符号の説明】
【００９１】
１０    電波搭
２０    基地局
３０    通信網
４０    メールサーバ
５０    アンテナ
６０    モニタ
１００  携帯電話機
１０５  通信アンテナ
１１０  無線部
１１５  通信制御部
１２０  音声処理部
１２５  放送受信アンテナ
１３０  受信処理部
１３５  表示制御部
１４０  表示部
１５０  制御部
１５５  操作部
１６０  赤外線通信部
１７０  視聴状態検知部
１８０  録画指示部
１９０  電池電圧測定部
２００  録画装置
２１０  放送受信部
２２０  録画処理部
２３０  ハードディスク部
２４０  赤外線通信部
２５０  インターネット通信部
２６０  指示受付部
【図１】
2010252391.tif 000003
【図２】
2010252391.tif 000004
【図３】
2010252391.tif 000005
【図４】
2010252391.tif 000006
【図５】
2010252391.tif 000007
【図６】
2010252391.tif 000008
【図７】
2010252391.tif 000009